(57)【要約】【課題】例えば熟練度の低い技師等でも、左右対称な乳房の診断画像を簡単に取得することができる乳房撮影用Ｘ線診断装置を提供すること。【解決手段】撮影において乳房のポジショニングに用いられる圧迫板に参照画像を投影する。また、乳房をポジショニングした場合の平面検出器の検出面側との接触領域をセンサによって検出し、これを参照画像と共にモニタ上に表示する。特に、後に撮影される乳房の撮影においては、直前に撮影された乳房を参照画像として表示する。【選択図】図４
2007236805.tif 000002
【特許請求の範囲】
【請求項１】
Ｘ線を曝射するＸ線曝射手段と、
検出面に入射したＸ線を検出するＸ線平面検出器と、
乳房を圧迫し固定するための圧迫板と、
前記圧迫板によって前記乳房を固定する際に参照される参照画像を、前記圧迫板上又は前記検出面上に投影する投影手段と、
を具備することを特徴とする乳房撮影用Ｘ線診断装置。
【請求項２】
前記参照画像は、過去に取得された当該患者の前記被写体の画像、又は直前に取得された一方の乳房に関する画像であることを特徴とする請求項１記載の乳房撮影用Ｘ線診断装置。
【請求項３】
Ｘ線を曝射するＸ線曝射手段と、
前記Ｘ線曝射手段と対向して設けられ、検出面に入射したＸ線を検出するＸ線平面検出器と、
前記Ｘ線平面検出器と前記Ｘ線曝射手段との間に設けられ、乳房と接触する領域を検出する接触領域検出手段と、
前記乳房を固定する際に参照される参照画像と前記乳房と接触する領域とを表示する表示手段と、
を具備することを特徴とする乳房撮影用Ｘ線診断装置。
【請求項４】
前記参照画像は、過去に取得された当該患者の前記被写体の画像、又は直前に取得された一方の乳房に関する画像であることを特徴とする請求項３記載の乳房撮影用Ｘ線診断装置。
【請求項５】
前記表示手段は、前記参照画像と前記乳房と接触する領域とを重畳させて表示することを特徴とする請求項３又は４記載の乳房撮影用Ｘ線診断装置。
【請求項６】
被写体を前記Ｘ線曝射手段と前記Ｘ線平面検出器との間に配置しない状態でＸ線を曝射し得られる第１の画像データを記憶する記憶手段と、
被写体を前記Ｘ線曝射手段と前記Ｘ線平面検出器との間に配置しない状態でＸ線を曝射し得られる第１の画像データに基づいて生成されたマップを用いて、前記乳房を前記Ｘ線曝射手段と前記Ｘ線平面検出器との間に配置した状態でＸ線を曝射し得られる第２の画像データから、前記接触領域検出手段の影響を取り除く演算を実行し、前記乳房に関する画像を生成する画像生成手段と、
をさらに具備することを特徴とする請求項３乃至５のうちいずれか一項記載の乳房撮影用Ｘ線診断装置。
【請求項７】
Ｘ線曝射手段に、Ｘ線を曝射させ、
Ｘ線平面検出器に、検出面に入射したＸ線を検出させ、
投影手段に、乳房を固定する際に参照される参照画像を、前記乳房を圧迫し固定させるための圧迫板上又は前記検出面上に投影させること、
を具備することを特徴とする乳房撮影用Ｘ線診断装置の制御方法。
【請求項８】
前記参照画像は、過去に取得された当該患者の前記被写体の画像、又は直前に取得された一方の乳房に関する画像であることを特徴とする請求項７記載の乳房撮影用Ｘ線診断装置の制御方法。
【請求項９】
Ｘ線曝射手段に、Ｘ線を曝射させ、
前記Ｘ線曝射手段と対向して設けられたＸ線平面検出器に、検出面に入射したＸ線を検出させ、
前記Ｘ線平面検出器と前記Ｘ線曝射手段との間に設けられる接触領域検出手段に、乳房と接触する領域を検出させ、
表示手段に、前記乳房を固定する際に参照される参照画像と前記乳房と接触する領域とを表示させること、
を具備することを特徴とする乳房撮影用Ｘ線診断装置の制御方法。
【請求項１０】
前記参照画像は、過去に取得された当該患者の前記被写体の画像、又は直前に取得された一方の乳房に関する画像であることを特徴とする請求項９記載の乳房撮影用Ｘ線診断装置の制御方法。
【請求項１１】
前記表示手段に、前記参照画像と前記乳房と接触する領域とを重畳させて表示させることを特徴とする請求項９又は１０記載の乳房撮影用Ｘ線診断装置の制御方法。
【請求項１２】
画像生成手段に、被写体を前記Ｘ線曝射手段と前記Ｘ線平面検出器との間に配置しない状態でＸ線を曝射し得られる第１の画像データに基づいて生成されたマップを用いて、前記乳房を前記Ｘ線曝射手段と前記Ｘ線平面検出器との間に配置した状態でＸ線を曝射し得られる第２の画像データから、前記接触領域検出手段の影響を取り除く演算をさせること、
をさらに具備することを特徴とする請求項９乃至１１のうちいずれか一項記載の乳房撮影用Ｘ線診断装置の制御方法。
【発明の詳細な説明】
【技術分野】
【０００１】
本発明は、平面検出器（FPD : Flat Panel Detector）を用いたディジタル乳房撮影用Ｘ線診断装置、及び当該装置の制御方法に関するものである。
【背景技術】
【０００２】
乳房撮影用Ｘ線診断装置とは、乳房専用のＸ線診断装置であり、乳房部の腫瘍、およびガン細胞周辺の石灰化を検出するのに有力なものの一つである。この装置を用いた乳房画像の撮影では、被写体である乳房をアクリル圧迫板の間（又は、圧迫板と平面検出器の検出面との間）に挟み込み、片方づつの画像が取得される。撮影の際に乳房を圧迫板で挟むのは、その厚さを均一にして撮影することで、内部の状態をわかりやすくし、放射線被曝量を抑えるためである。例えば検診の場合であれば、左右の乳房で各1〜2枚ずつが取得されるのが一般的である。
【０００３】
通常、この乳房用Ｘ線撮影装置において左右両方の乳房撮影を行なう場合、その撮影画像は、左右乳房のミラー読影が可能なように左右対称である必要がある。このような左右対称な撮影画像を得るためには、撮影前の高度なポジショニング技術が要求され、熟練度の低い技師が左右対称な撮影画像を得ることは困難である。
【０００４】
なお、本願に関連する公知文献としては、例えば次のようなものがある。
【特許文献１】特開平４−３５４９４０号公報
【特許文献２】特開平８−２３８２３７号公報
【特許文献３】特開平８−３３６２１号公報
【発明の開示】
【発明が解決しようとする課題】
【０００５】
本発明は、上記事情を鑑みてなされたもので、例えば熟練度の低い技師等でも、左右対称な乳房の診断画像を簡単に取得することができる乳房撮影用Ｘ線診断装置及びその制御方法を提供することを目的としている。
【課題を解決するための手段】
【０００６】
本発明は、上記目的を達成するため、次のような手段を講じている。
【０００７】
本発明の第１の視点は、Ｘ線を曝射するＸ線曝射手段と、検出面に入射したＸ線を検出するＸ線平面検出器と、乳房を圧迫し固定するための圧迫板と、前記圧迫板によって前記乳房を固定する際に参照される参照画像を、前記圧迫板上又は前記検出面上に投影する投影手段と、を具備することを特徴とする乳房撮影用Ｘ線診断装置である。
【０００８】
本発明の第２の視点は、Ｘ線を曝射するＸ線曝射手段と、前記Ｘ線曝射手段と対向して設けられ、検出面に入射したＸ線を検出するＸ線平面検出器と、前記Ｘ線平面検出器と前記Ｘ線曝射手段との間に設けられ、乳房と接触する領域を検出する接触領域検出手段と、前記乳房を固定する際に参照される参照画像と前記乳房と接触する領域とを表示する表示手段と、を具備することを特徴とする乳房撮影用Ｘ線診断装置である。
【０００９】
本発明の第３の視点は、Ｘ線曝射手段に、Ｘ線を曝射させ、Ｘ線平面検出器に、検出面に入射したＸ線を検出させ、投影手段に、乳房を固定する際に参照される参照画像を、前記乳房を圧迫し固定させるための圧迫板上又は前記検出面上に投影させること、を具備することを特徴とする乳房撮影用Ｘ線診断装置の制御方法である。
【００１０】
本発明の第４の視点は、Ｘ線曝射手段に、Ｘ線を曝射させ、前記Ｘ線曝射手段と対向して設けられたＸ線平面検出器に、検出面に入射したＸ線を検出させ、前記Ｘ線平面検出器と前記Ｘ線曝射手段との間に設けられる接触領域検出手段に、乳房と接触する領域を検出させ、表示手段に、前記乳房を固定する際に参照される参照画像と前記乳房と接触する領域とを表示させること、を具備することを特徴とする乳房撮影用Ｘ線診断装置の制御方法である。
【発明の効果】
【００１１】
以上本発明によれば、例えば熟練度の低い技師等でも、左右対称な乳房の診断画像を簡単に取得することができる乳房撮影用Ｘ線診断装置及びその制御方法を実現することができる。
【発明を実施するための最良の形態】
【００１２】
以下、本発明の第１及び第２の実施形態を図面に従って説明する。なお、以下の説明において、略同一の機能及び構成を有する構成要素については、同一符号を付し、重複説明は必要な場合にのみ行う。
【００１３】
（第１の実施形態）
図１は、第１の実施形態に係る乳房撮影用Ｘ線診断装置１の外観図を示している。同図に示すように、本乳房撮影用Ｘ線診断装置１は、アーム部１０、支柱部３５から構成されている。アーム部１０には、互いに対向して設置されるＸ線源装置１３及び平面検出器２０、圧迫板１５等が設けられている。また、支柱部３５には、表示パネル２７ａ、フットペダル３１ａ、３１ｂ、タッチパネル３１ｃ等が設けられている。アーム部１０は、支柱部３５に対し上下移動及び軸３６を中心とした回転移動が可能である。このアーム部１０を所定の姿勢にし、平面検出器２０の検出面、圧迫板１５によって乳房を固定することで、頭尾方向、内外方向、内外斜方向等の任意の方向からの画像を取得することができる。
【００１４】
図２は、本乳房撮影用Ｘ線診断装置１のブロック構成図を示している。同図に示すように、本乳房撮影用Ｘ線診断装置１は、Ｘ線制御部１１、Ｘ線源装置１３、圧迫板１５、圧迫板制御部１６、圧迫板駆動部１７、平面検出器２０、メモリ２１、画像処理装置２３、Ｄ／Ａ変換器２５、表示部２７、中央制御部３０、操作部３１、記憶部３３、送受信部３４を具備している。
【００１５】
Ｘ線制御部１１は、中央制御部３０からの指示に従って、所定強度のＸ線が所定レートで曝射されるように、Ｘ線源装置１３を制御する。
【００１６】
Ｘ線源装置１３は、Ｘ線管１３０、Ｘ線照射野限定器１３１、参照画像投影部１３２を有している。Ｘ線管１３０は、Ｘ線を発生する真空管であり、高電圧発生装置からの高電圧により電子を加速させ、ターゲットに衝突させることでＸ線を発生する。Ｘ線照射野限定器１３１は、Ｘ線管１３０から照射されるＸ線を所定の形状に成形する。参照画像投影部１３２は、後述する参照画像を圧迫板１５上に投影する。
【００１７】
圧迫板１５は、図３に示すように平面検出器２０の検出面とによって乳房を圧迫することで、撮影時において乳房を平たく薄く設置するためのアクリル板である。このように乳房を圧迫して設定することで、被写体からの散乱Ｘ線を減少させ、乳腺組織の重なりを少なくすることができ、画像コントラストの改善、体動によるノイズ発生等を防止、照射線量の低減等を実現することができる。なお、参照画像投影部１３２により、この圧迫板１５上には参照画像が投影される。この内容については、後で詳しく説明する。
【００１８】
圧迫板制御部１６は、中央制御部３０からの指示のもと、圧迫板１５の位置決めを行うために、圧迫板駆動部１７を制御する。
【００１９】
圧迫板駆動部１７は、圧迫板制御部１６の制御又は又は技師等のマニュアル操作のもと、圧迫板１５を駆動する。
【００２０】
平面検出器２０は、シンチレータとフォトダイオードアレイとを有し、被写体を透過したＸ線を光電膜に当てることで電子正孔を生成し、これを半導体スイッチにおいて蓄積し、電気信号として読み出すことでＸ線を電気信号に変換して検出するものである。なお、変換方式は、Ｘ線から電気信号に変換する直接変換であっても良いし、Ｘ線から光を介して電気信号に変換する間接変換であっても良い。
【００２１】
メモリ２１は、平面検出器２０から供給されるディジタル信号を一時的に記憶する。
【００２２】
画像処理装置２３は、メモリ２１からディジタル信号をフレーム毎に読み出し、必要に応じてサブトラクション処理等の所定の画像処理を行う。
【００２３】
Ｄ／Ａ変換器２５は、画像処理装置２３から入力した画像データのディジタル信号列を、アナログ信号列に変換する。
【００２４】
表示部２７は、画像処理装置２３から受け取った信号により、Ｘ線診断画像等を表示するＣＲＴ、プラズマディスプレイ、液晶ディスプレイ等の他、装置の動作状態を示す表示パネル２７ａを有する。
【００２５】
中央制御部３０は、画像データの収集に関する制御、及び収集した画像データの画像処理、画像再生処理等に関する制御を行う中央処理装置である。特に、中央制御部３０は、後述する参照画像表示機能に関する制御を実行する。
【００２６】
操作部３１は、キーボードや各種スイッチ、マウス、フットペダル３１ａ、３１ｂ、タッチパネル３１ｃ等を備えた入力装置であり、患者情報（患者ＩＤ、検査部位、検査目的等）の入力、圧迫板１５の上下移動、撮影指示、パルスレート選択、画像選択等を入力する際に使用される。
【００２７】
記憶部３３は、画像処理装置２３での画像処理前又は処理後の画像データ等を記憶する。また、記憶装置３３は、後述する参照画像表示機能を実現するための専用プログラム、及び参照画像として使用される、当該患者の過去の検査において取得された乳房画像等を記憶する。
【００２８】
送受信部３４は、ネットワークを介して他の装置とデータの送受信を行う。また、送受信部３４は、必要に応じて、画像サーバからネットワークを介して当該患者の過去の検査において取得された乳房画像等を取得する。
【００２９】
（参照画像表示機能）
次に、本乳房撮影用Ｘ線診断装置１が有する、参照画像表示機能について説明する。この機能は、被写体としての乳房をポジショニング（圧迫板１５と平面検出器２０の検出面とによる圧迫・固定）する際に、参照画像を圧迫板上に投影（ガイド表示）することで、被写体の設定を容易ならしめるものである。ここで、参照画像とは、乳房を圧迫板等によって固定する際に参照とされる画像であり、同一患者の過去の検査において撮影された乳房画像、或いは左右の乳房画像を撮影する場合に直前に撮影された一方の乳房画像等である。
【００３０】
図４は、本乳房撮影用Ｘ線診断装置１の参照画像表示機能を利用した左右の乳房画像の撮影動作の流れを示したフローチャートである。同図に示すように、まず、参照画像投影部１３２は、一方の乳房のポジショニングに先立って、参照画像を圧迫板１５上に投影（ガイド表示）する（ステップＳ１）。このとき、過去に同一患者の乳房画像が存在する場合、その画像を記憶部３３又はネットワークに接続された画像サーバ等から取得し、これを表示する。なお、当該患者に関する過去画像が存在しない場合には、現段階では参照画像のガイド表示は行わず、参照画像を利用しない通常通りポジショニングを行なう。
【００３１】
次に、技師等は、例えば図５に示すように圧迫板上に表示された参照画像をガイドとして、一方の乳房のポジショニングを行い、当該乳房についての画像を取得する（ステップＳ２、ステップＳ３）。取得された乳房画像は、画像処理装置２３等において所定の処理を受けた後、記憶部３３に記憶される。
【００３２】
次に、参照画像投影部１３２は、ステップＳ３において取得した（一方の）乳房画像を、圧迫板１５上に投影（ガイド表示）する（ステップＳ４）。技師等は、圧迫板上に表示された参照画像をガイドとして、他方の乳房のポジショニングを行い、当該乳房についての画像を取得する（ステップＳ５、ステップＳ６）。
【００３３】
こうして取得された左右の乳房画像は、記憶部３３又はネットワークに接続された画像サーバに自動的に記憶され、後段の読影処理において読み出され、読影医師によってミラー読影される。
【００３４】
以上述べた構成によれば、以下の効果を得ることができる。
【００３５】
本乳房撮影用Ｘ線診断装置によれば、撮影において乳房のポジショニングに用いられる圧迫板に参照画像を投影（ガイド表示）する。従って、圧迫板に投影された参照画像とが対応するように乳房を設置するだけで、容易に適切なポジショニングを行うことができる。特に、一方の乳房の撮影の後に実行される他方の乳房の撮影においては、直前に撮影された乳房を参照画像として表示する。従って、表示された参照画像に対応するように乳房をポジショニングすることで、左右対称の乳房の画像を取得することができる。その結果、熟練度の低い技師等であっても、左右対称な乳房の診断画像を簡単に取得することができ、読影医師は、好適なミラー読影を行うことができる。
【００３６】
また、本乳房撮影用Ｘ線診断装置によれば、最初に撮影される一方の乳房の撮影においては、圧迫板に過去の自身の乳房画像を参照画像として表示する。従って、自身の乳房画像を参照画像とすることができ、熟練度の低い技師等であっても、迅速且つ適切に乳房のポジショニングを行うことができる。
【００３７】
（第２の実施形態）
次に、本発明の第２の実施形態について説明する。本実施形態に係る乳房撮影用Ｘ線診断装置１は、平面検出器の検出面上に設けられたセンサによって検出される接触領域を参照画像と共に表示し、参照画像と接触領域とが対応するようにポジショニングをガイドすることで、被写体の設定を容易ならしめるものである。
【００３８】
図６は、第２の実施形態に係る乳房撮影用Ｘ線診断装置１のブロック構成図を示している。図２に示した乳房撮影用Ｘ線診断装置１の構成と比較した場合、接触領域センサ１９をさらに具備する点がさらに異なる。
【００３９】
接触領域センサ１９は、平面検出器２０の検出面上（すなわち、Ｘ線源装置１３側）に設けられ、被写体と接触した領域（接触領域）を検出する温度センサ、圧力センサ等である。すなわち、図７に示すように圧迫板１５と接触領域センサ１９とで被写体である乳房を圧迫し固定した場合、乳房の当該接触領域センサ１９との接触領域を検出する。検出された接触領域は、例えば図８に示すように、表示部２７において参照画像と共に表示される。
【００４０】
中央制御部３０は、接触領域の表示、参照画像の表示等に関する制御を行う。また、中央制御部３０は、接触領域センサ１９の電極等の画像への影響を取り除くためのキャリブレーションを予め実行し、キャリブレーションマップを生成する。
【００４１】
画像処理装置２３は、予め生成されたキャリブレーションマップを用いて、撮影された画像から、接触領域センサ１９の影響を取り消すための演算を実行する。このキャリブレーションマップは、画素毎に割り当てられた係数の配列表であり、例えば、乳房等のを配置しない状態で圧迫板を透過した曝射Ｘ線により得られる画像に基づいて生成される。
【００４２】
表示部２７は、参照画像及び接触領域センサ１９によって検出された接触領域を、所定の形態にて表示する。
【００４３】
記憶部３３は、キャリブレーションによって得られるキャリブレーションマップを記憶する。
【００４４】
（参照画像表示機能）
次に、本乳房撮影用Ｘ線診断装置１が有する、参照画像表示機能について説明する。
【００４５】
図８は、本乳房撮影用Ｘ線診断装置１の参照画像表示機能を利用した左右の乳房画像の撮影動作の流れを示したフローチャートである。なお、同図に示す撮影の事前に、接触領域センサ１９の電極等による影響及び製造時のばらつきを取り除くためのキャリブレーションが実行される。すなわち、被写体のない状態でＸ線曝射を実行し、検出された各画素毎の値をキャリブレーションマップとして記憶する。乳房画像の撮影時では、画像処理装置２３において、このキャリブレーションマップを実際に撮影された乳房画像に乗算することで、接触領域センサ１９の電極等による影響を取り除くことができる。
【００４６】
まず、中央制御部３０は、一方の乳房のポジショニングに先立って、参照画像を表示部２７のモニタ上にガイド表示する（ステップＳ１１）。技師等は、表示された参照画像をガイドとして、一方の乳房を接触領域センサ１９の接触面上に設置する。なお、過去に同一患者の乳房画像が存在する場合、その画像を記憶部３３又はネットワークに接続された画像サーバ等から取得し、これを表示する。また、当該患者に関する過去画像が存在しない場合には、現段階では参照画像のガイド表示は行わず、参照画像を利用しない通常通りポジショニングを行なう。
【００４７】
次に、中央制御部３０は、接触領域センサ１９によって検出された一方の乳房の接触領域を、例えば図８に示した形態にて参照画像と共に表示する。技師等は、表示部２７のモニタ上に表示された参照画像と接触領域とが対応するように、一方の乳房のポジショニングを実行する（ステップＳ１２）。ポジショニングが実行されると、Ｘ線が曝射され、平面検出器３０によって検出された信号値からキャリブレーションマップを乗算する処理等を実行することで、一方の乳房についての画像を取得する（ステップＳ１３）。取得された乳房画像は、画像処理装置２３等において所定の処理を受けた後、記憶部３３に記憶される。
【００４８】
次に、中央制御部３０は、ステップＳ１３において取得した（一方の）乳房画像を、表示部２７のモニタ上にガイド表示する（ステップＳ１４）。技師等は、表示された参照画像をガイドとして、他方の乳房を接触領域センサ１９の接触面上に設置する。
【００４９】
次に、中央制御部３０は、接触領域センサ１９によって検出された他方の乳房の接触領域を、参照画像と共に表示する。技師等は、表示部２７のモニタ上に表示された参照画像と接触領域とが対応するように、他方の乳房のポジショニングを実行する（ステップＳ１５）。ポジショニングが実行されると、Ｘ線が曝射され、平面検出器３０によって検出された信号値からキャリブレーションマップを乗算する処理等を実行することで、他方の乳房についての画像を取得する（ステップＳ１６）。
【００５０】
こうして取得された左右の乳房画像は、記憶部３３又はネットワークに接続された画像サーバに自動的に記憶され、後段の読影処理において読み出され、読影医師によってミラー読影される。
【００５１】
本乳房撮影用Ｘ線診断装置によれば、乳房をポジショニングした場合の平面検出器の検出面側との接触領域をセンサによって検出し、これを参照画像と共にモニタ上に表示する。特に、一方の乳房の撮影の後に実行される他方の乳房の撮影においては、直前に撮影された乳房を参照画像として表示する。従って、モニタ上に表示された接触領域と参照画像とが対応するように乳房を設置するだけで、左右対称の乳房の画像を取得することができる。その結果、熟練度の低い技師等であっても、左右対称な乳房の診断画像を簡単に取得することができ、読影医師は、好適なミラー読影を行うことができる。
【００５２】
また、本乳房撮影用Ｘ線診断装置によれば、最初に撮影される一方の乳房の撮影においては、モニタ上に過去の自身の乳房画像を参照画像として表示する。従って、自身の乳房画像を参照画像とすることができ、熟練度の低い技師等であっても、迅速且つ適切に乳房のポジショニングを行うことができる。
【００５３】
なお、本発明は上記実施形態そのままに限定されるものではなく、実施段階ではその要旨を逸脱しない範囲で構成要素を変形して具体化できる。具体的な変形例としては、例えば次のようなものがある。
【００５４】
（１）本各実施形態に係る機能は、当該処理を実行するプログラムを、参照画像投影器や接触領域センサが設けられた乳房撮影用Ｘ線診断装置が内蔵するコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記録媒体に格納して頒布することも可能である。
【００５５】
（２）上記第１の実施形態においては、参照画像投影部１３２により、圧迫板１５上に参照画像を投影した。しかしながら、これに拘泥されず、例えば平面検出器２０の検出面上に参照画像を投影する構成であっても、同様の効果を得ることができる。
【００５６】
（３）上記第２の実施形態においては、平面検出器２０の検出面上に接触領域センサ１９を設ける構成とした。しかしながら、これに拘泥されず、例えば圧迫板１５に接触領域センサを設け、検出された接触領域を参照画像と共に表示部２７に表示する構成であっても、同様の効果を得ることができる。
【００５７】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５８】
以上本発明によれば、例えば熟練度の低い技師等でも、左右対称な乳房の診断画像を簡単に取得することができる乳房撮影用Ｘ線診断装置及びその制御方法を実現することができる。
【図面の簡単な説明】
【００５９】
【図１】図１は、第１の実施形態に係る乳房撮影用Ｘ線診断装置１の外観図を示している。
【図２】図２は、第１の実施形態に係る乳房撮影用Ｘ線診断装置１のブロック構成図を示している。
【図３】図３は、圧迫板と平面検出器の検出面とによる乳房の固定の様子を説明するための図である。
【図４】図４は、本乳房撮影用Ｘ線診断装置１の参照画像表示機能を利用した左右の乳房画像の撮影動作の流れを示したフローチャートである。
【図５】図５は、圧迫板に投影された参照画像の一例を示した図である。
【図６】図６は、第２の実施形態に係る乳房撮影用Ｘ線診断装置１のブロック構成図を示している。
【図７】図７は、接触領域センサと圧迫板とによる乳房の固定の様子を説明するための図である。
【図８】図８は、表示部のモニタに表示される参照画像及び接触領域の一例を示した図である。
【図９】図９は、第２の実施形態に係る参照画像表示処理の流れを示したフローチャートである。
【符号の説明】
【００６０】
１…乳房撮影用Ｘ線診断装置、１０…アーム部、１１…Ｘ線制御部、１３…Ｘ線源装置、１５…圧迫板、１６…圧迫板制御部、１７…圧迫板駆動部、１９…接触領域センサ、２０…平面検出器、２１…メモリ、２３…画像処理装置、２５…Ｄ／Ａ変換器、２７…表示部、３０…中央制御部、３１…操作部、３３…記憶部、３５…支柱部、３６…軸、１３０…Ｘ線管、１３１…Ｘ線照射野限定器、１３２…参照画像投影部
【図１】
2007236805.tif 000003
【図２】
2007236805.tif 000004
【図３】
2007236805.tif 000005
【図４】
2007236805.tif 000006
【図５】
2007236805.tif 000007
【図６】
2007236805.tif 000008
【図７】
2007236805.tif 000009
【図８】
2007236805.tif 000010
【図９】
2007236805.tif 000011